(57)【要約】【課題】柔軟な軟包装材を用いて簡易に且つ安価に形成できると共に、収容された粒径の小さな微細な粉体を、粉舞いを抑制ししつつ、スムーズに流出させて、被詰め容器に詰め替えできる詰替え用粉体袋を提供する。【解決手段】最内層がシーラント層となっている表裏一対の正面フィルム１１，１１を備え、これらの正面フィルム１１，１１を重ね合わせて粉体収容部１２の外周部分をシール接合することで、粉体収容部１２が形成されている詰替え用粉体袋１０であって、粉体収容部１２は、幅広の底部１２ａから、先端部１２ｂ側に向けて横幅を徐々に減少させて、最小横幅部１２ｃに至るまでの収容本体部１４と、最小横幅部１２ｃから、先端部１２ｂ側に向けて横幅を徐々に拡大させて、先端側シール接合部１３ａに至るまでの粉体流出部１５とを含む正面形状を有しており、粉体流出部１５の部分で横幅方向Ｘに沿って切断されて、粉体の流出口１６が開口形成される。【選択図】図１
2015189514.tif 000002
【特許請求の範囲】
【請求項１】
最内層がシーラント層となっている表裏一対の正面フィルムを備えており、これらの正面フィルムを重ね合わせて粉体収容部の外周部分をシール接合することで、詰替え用の粉体が収容された前記粉体収容部が、未接合部分によって形成されている詰替え用粉体袋であって、
前記粉体収容部は、正面視して、幅広の底部から、先端部側に向けてその横幅を徐々に減少させて、最小横幅部に至るまでの収容本体部と、前記最小横幅部から、先端部側に向けてその横幅を徐々に拡大させた部分を経て、先端側シール接合部に至るまでの粉体流出部とを含む正面形状を有しており、
前記粉体流出部の部分は、横幅方向に沿って切断されて粉体の流出口を形成する開口形成部となっている詰替え用粉体袋。
【請求項２】
前記最小横幅部の両側のシール接合部を把持部とし、形成された前記流出口を下方に向けて倒立させると共に、両側の把持部を前記粉体流出部の横幅方向に近づけたり離したりする操作を繰り返すことで、流出口を略多角形状に開口させ、前記最小横幅部で前記収容本体部に収容された粉体をほぐしながら前記粉体流出部から下方に流出させる請求項１記載の詰替え用粉体袋。
【請求項３】
前記粉体収容部の外周部分のシール接合部における、前記粉体流出部を挟んだ両側の部分には、切取り誘導線が形成されており、該切取り誘導線は、前記粉体流出部の部分で切断されて前記流出口が形成される際に、前記流出口をこれの両側のシール接合部よりも突出配置した状態で、シール接合部が切り取られるように誘導する請求項１又は２記載の詰替え用粉体袋。
【請求項４】
前記収容本体部は、直線状に斜めに延設する両側の傾斜線を介して、幅広の前記底部から先端部側に向けてその横幅を徐々に減少させている請求項１〜３のいずれか１項記載の詰替え用粉体袋。
【請求項５】
前記粉体収容部は、左右対称な正面形状を備えている請求項１〜４のいずれか１項記載の詰替え用粉体袋。
【請求項６】
前記粉体収容部は、同様の傾斜方向に傾斜する両側の傾斜線を介して、幅広の前記底部から先端部側に向けてその横幅を徐々に減少させている請求項１〜４のいずれか１項記載の詰替え用粉体袋。
【請求項７】
前記粉体流出部に開口を促すための罫線又はエンボス加工部を備えた請求項１〜６のいずれか１項記載の詰替え用粉体袋。
【請求項８】
前記表裏一対の正面フィルムの少なくとも一方が、一軸延伸フィルム層を含んでおり、該一軸延伸フィルム層の延伸方向に前記粉体流出部の横幅方向が沿うように、前記粉体流出部が形成されている請求項１〜７のいずれか１項記載の詰替え用粉体袋。
【請求項９】
前記最少横幅部の両側の前記把持部に、外形と切断誘導線、又は非シール部に囲まれた領域のフィルム基材により、把持し易くするための高い剛性を持たせた請求項２〜８のいずれか１項記載の詰替え用粉体袋。
【請求項１０】
請求項１記載の詰替え用粉体袋を用いた粉体の詰替え方法であって、前記最小横幅部の両側のシール接合部を把持部とし、開口形成された前記流出口を下方に向けて倒立させると共に、両側の把持部を前記粉体流出部の横幅方向に近づけたり離したりする操作を繰り返すことで、流出口を略多角形状に開口させ、前記最小横幅部で前記収容本体部に収容された粉体をほぐしながら前記粉体流出部から下方に流出させる粉体の詰替え用方法。
【発明の詳細な説明】
【技術分野】
【０００１】
本発明は、詰替え用粉体袋に関し、特に、表裏一対の正面フィルムを備えており、これらの正面フィルムを重ね合わせて粉体収容部の外周部分をシール接合することによって形成される詰替え用粉体袋に関する。
【背景技術】
【０００２】
近年、各種の液体や紛粒体を収容する合成樹脂製の容器についても、環境負荷の低減が図られるようになっており、使用する樹脂量を減らした薄肉の容器が種々開発されている。また、各種の液体や粉粒体を収容する容器として、パウチ等の柔軟な軟包装材による詰替え用の袋容器が多く用いられている。詰替え用の袋容器は、収容した内容物を、吐出ノズル部や注出部を備える被詰替え容器や、意匠性に優れた被詰替え容器に詰め替えることで、高価な被詰替え容器をその都度廃棄することなく、長期間使用できるようにする。
【０００３】
また、粉粒体を収容するパウチ等の柔軟な軟包装材による詰替え用の袋容器では、詰め替え時の粉粒体の飛散や、舞上りを防止できるようにしたものも開発されている（例えば、特許文献１、特許文献２）。
【先行技術文献】
【特許文献】
【０００４】
【特許文献１】特開２００７−３０８１５１号公報
【特許文献２】特開２０１０−５８８３３号公報
【発明の概要】
【発明が解決しようとする課題】
【０００５】
一方、近年、化粧品の分野等において、例えばファンデーションやパウダー等の粒径の小さな微細な粉体を、コンパクト容器等の小形の被詰替え容器に詰め替えることが行われている。粒径の小さな微細な粉体を小形の被詰め容器に詰め替えるための容器は、収容される粉体の量が少ないため、柔軟な軟包装材による袋によって簡易に且つ安価に形成することが可能であるが、おしろいのような粒径の小さな微細な粉体は、外力のない状況下では塊りの状態になり易く、適当な外力の下では流体のようにふるまうといったレオロジーを備えていることから、粉舞いを抑制できるようにするだけでなく、塊りの状態から収容した粉体をスムーズに流出できるようにする工夫が必要である。
【０００６】
本発明は、柔軟な軟包装材を用いて簡易に且つ安価に形成できると共に、収容された粒径の小さな微細な粉体を、粉舞いを抑制ししつつ、スムーズに流出させて、被詰め容器に詰め替えることのできる詰替え用粉体袋を提供することを目的とする。
【課題を解決するための手段】
【０００７】
本発明は、最内層がシーラント層となっている表裏一対の正面フィルムを備えており、これらの正面フィルムを重ね合わせて粉体収容部の外周部分をシール接合することで、詰替え用の粉体が収容された前記粉体収容部が、未接合部分によって形成されている詰替え用粉体袋であって、前記粉体収容部は、正面視して、幅広の底部から、先端部側に向けてその横幅を徐々に減少させて、最小横幅部に至るまでの収容本体部と、前記最小横幅部から、先端部側に向けてその横幅を徐々に拡大させた部分を経て、先端側シール接合部に至るまでの粉体流出部とを含む正面形状を有しており、前記粉体流出部の部分は、横幅方向に沿って切断されて粉体の流出口を形成する開口形成部となっている詰替え用粉体袋を提供することにより、上記目的を達成したものである。
【発明の効果】
【０００８】
本発明の詰替え用粉体袋によれば、柔軟な軟包装材を用いて簡易に且つ安価に形成できると共に、収容された粒径の小さな微細な粉体を、粉舞いを抑制ししつつ、スムーズに流出させて、被詰め容器に詰め替えることができる。
【図面の簡単な説明】
【０００９】
【図１】本発明の好ましい一実施形態に係る詰替え用粉体袋の正面図である。
【図２】詰替え用粉体袋から被詰替え容器に粉体を詰め替える状況の説明図である。
【図３】（ａ）、（ｂ）は、詰替え用粉体袋から被詰替え容器に粉体を詰め替える際の流出口部分の説明図である。
【図４】（ａ）、（ｂ）は、他の実施形態に係る詰替え用粉体袋の正面図である。
【図５】（ａ）、（ｂ）は、他の形態の詰替え用粉体袋を例示する正面図である。
【図６】他の形態の詰替え用粉体袋を例示する正面図である。
【図７】他の形態の詰替え用粉体袋を例示する正面図である。
【図８】（ａ）〜（ｄ）は、他の形態の詰替え用粉体袋を例示する正面図である。
【図９】他の形態の詰替え用粉体袋を例示する正面図である。
【発明を実施するための形態】
【００１０】
図１に示す本発明の好ましい一実施形態に係る詰替用粉体袋１０は、詰替え用の粉体として、小さな粒径の微細な粉体である、ファンデーションやパウダー等の粉体化粧料を収容した、柔軟な軟包装材からなる袋容器として形成されている。また、本実施形態の詰替用粉体袋１０は、軟包装材として表裏一対の正面フィルム１１，１１を備えており、好ましくは手の平に収まる大きさとして、縦横２０〜２５０ｍｍ程度の大きさの矩形の正面形状を有する小形の袋容器となっている。本実施形態の詰替用粉体袋１０は、塊りの状態となり易い小さな粒径の微細な粉体を、粉舞いを抑制しつつ、スムーズに流出させて、コンパクト容器等の小形の被詰め替え容器２０（図２参照）に、容易に詰め替えできるようにする機能を備える。
【００１１】
そして、本実施形態の詰替え用粉体袋１０は、最内層がシーラント層となっている表裏一対の正面フィルム１１，１１を備えており、これらの正面フィルム１１，１１を重ね合わせて粉体収容部１２の外周部分をシール接合部１３としてシール接合することで、詰替え用の粉体が収容された粉体収容部１２が、未接合部分によって形成されている粉体用の袋容器であって、粉体収容部１２は、正面視して、幅広の底部１２ａから、先端部１２ｂ側に向けてその横幅を徐々に減少させて、最小横幅部１２ｃに至るまでの収容本体部１４と、最小横幅部１２ｃから、先端部１２ｂ側に向けてその横幅を徐々に拡大させた部分１５ａを経て、先端側シール接合部１３ａに至るまでの粉体流出部１５とを含む正面形状を有しており、粉体流出部１５の部分は、横幅方向Ｘに沿って切断されて粉体の流出口１６（図２参照）を形成する開口形成部となっている。
【００１２】
開口形成される流出口１６の横幅は、底部１２ａの横幅の１/２〜１/３となっていることが好ましい。また、流出口１６の横幅を最小横幅部１２ｃの横幅よりも大きくすることで、粉をさらさらとしたほぐされた状態を保ちながら被詰め替え容器に注ぐことが可能である。粉体流出部１５の高さは、粉体収容部１２の高さの１/３以下となっていることが好ましく、高さを低くすることで流出した粉が舞うことを防ぐことが可能である。
【００１３】
また、本実施形態の詰替え用粉体袋１０は、図２に示すように、粉体流出部１５の部分を横幅方向Ｘに切断することで形成された流出口１６を下方に向けて倒立させると共に、粉体流出部１５の両側のシール接合部１３を両側の手の指で各々挟むように把持した状態で、両側の手の指を粉体流出部１５の横幅方向Ｘに近づけたり離したりする操作を繰り返すことで、収容本体部１４に収容された粉体をほぐしながら粉体流出部１５から下方に流出させるようになっている。すなわち、本実施形態では、好ましくは最小横幅部１２ｃの両側のシール接合部１３を把持部２４とし、開口形成された流出口１６を下方に向けて倒立させると共に、両側の把持部２４を粉体流出部１５の横幅方向Ｘに近づけたり離したりする操作を繰り返すことで、流出口１６を略多角形状に開口させ、最小横幅部１２ｃで収容本体部１４に収容された粉体をほぐしながら粉体流出部１５から下方に流出させて、収容された粉体を詰め替えることができるようになっている。
【００１４】
本実施形態では、詰替え用粉体袋１０は、表裏一対の正面フィルム１１，１１を備える袋として、一対の正面フィルム１１，１１の四方又は三方を接合して形成されるピロー袋や、一対の正面フィルム１１，１１の下端部分に底面フィルムを折り込んだ状態で接合して形成されるパウチ袋等とすることができる。詰替用粉体袋１０は、複数枚のフィルム材料を使用して、粉体収容部１２の四方の外周部分をシール接合することによって、表裏一対の正面フィルム１１，１１を備えるように形成できる他、一枚のフィルム材料を折り返したり折り込んだりした状態で、粉体収容部１２の三方の外周部分をシール接合することによって、表裏一対の正面フィルム１１，１１を備えるように形成することもできる。
【００１５】
また、表裏一対の正面フィルム１１，１１や底面フィルムは、フィルム材料として、最内層のシーラント層と、これよりも外層の基材層とからなるフィルム材料を用いることができる。基材層の外側や内側に、印刷層や接着層を含んでいても良い。
【００１６】
基材層は、柔軟な軟包装材として使用されている、公知のフィルム材を適宜選択して用いて形成することができる。例えば、ポリエチレンテレフタレート（ＰＥＴ）、ポリブチレンテレフタレート（ＰＢＴ）などのポリエステル、ポリエチレン（ＰＥ）、ポリプロピレン（ＰＰ）などのポリオレフィン、ナイロン−６、ナイロン−６６などのポリアミド（ＰＡ）等による単層フィルムや、これらの２つ以上のフィルムを積層した積層フィルムを用いて形成することができる。
【００１７】
最内層のシーラント層は、例えば、低密度ポリエチレン樹脂（ＬＤＰＥ）、中密度ポリエチレン樹脂（ＭＤＰＥ）、高密度ポリエチレン樹脂（ＨＤＰＥ）、直鎖状低密度ポリエチレン樹脂（Ｌ−ＬＤＰＥ）、ポリプロピレン樹脂（ＰＰ）等を用いて形成することができる。
【００１８】
また、本実施形態では、表裏一対の正面フィルム１１，１１は、これの少なくとも一方が、基材層に一軸延伸フィルム層を含んでおり、この一軸延伸フィルム層の延伸方向に粉体流出部１５の横幅方向Ｘが沿うように、粉体流出部１５が形成されていることが好ましい。これによって、粉体流出部１５の部分で詰替え用粉体袋１０を切断して、粉体の流出口１６を開口形成する際に、粉体流出部１５の横幅方向Ｘに沿って、詰替え用粉体袋１０を、より容易にかつ綺麗な切り口で切断することが可能になる。
【００１９】
ここで、一軸延伸フィルム層は、例えば強延伸ポリエチレンテレフタレートフィルム、低密度ポリエチレンフィルム等を用いて形成することができる。
【００２０】
本実施形態では、例えば表裏一対の正面フィルム１１，１１の最内層のシーラント層を向い合せた状態で、ヒートシール等の公知の方法によって、粉体収容部１２となる部分を未接合部分として、これの外側の外周部分を、所定の形状のシール接合部１３としてシール接合する。これによって、図１に示すような、粉体収容部１２の収容本体部１４に詰替え用の粉体が封入された、詰替え用粉体袋１０を容易に形成することができる。すなわち、例えば矩形形状に形成された表裏一対の正面フィルム１１，１１に対して、底部シール接合部１３ｃを残して、粉体収容部１２の両側の側部シール接合部１３ｂと、粉体収容部１２のよりも流出方向先端側の先端側シール接合部１３ａとを先行してシール接合した状態で、接合されていない底部側から、粉体を収容本体部１４に収容する。しかる後に、底部シール接合部１３ｃをシール接合することによって、粉体収容部１２に詰替え用の粉体が封入された、本実施形態の詰替え用粉体袋１０が、簡易に且つ安価に形成される。
【００２１】
これによって、粉体が収容された粉体収容部１２は、幅広の底部１２ａから、先端部１２ｂ側に向けてその横幅を徐々に減少させて、最小横幅部１２ｃに至るまでの収容本体部１４と、最小横幅部１２ｃから、先端部１２ｂ側に向けてその横幅を徐々に拡大させた部分１５ａを経て、先端側シール接合部１２ａに至るまでの粉体流出部１５とを含む、好ましくは左右対称な正面形状を備えるように形成される。粉体収容部１２が、左右対称な正面形状を備えていることにより、粉体を詰め替える際に、粉体が底部１２aから先端部１２ｂに向けて流動し易くすることが可能になる。
【００２２】
また、本実施形態では、粉体収容部１２の収容本体部１４は、底部シール接合部１３ｃから、横幅を減少させない領域を介在させた後に、直線状に斜めに延設する両側の傾斜線１７を介して、幅広の底部１２ａから先端部１２ｂ側に向けてその横幅を徐々に減少させている。このように、収容本体部１４は、横幅を減少させない領域を介在させながら、幅広の底部１２ａから先端部１２ｂ側に向けてその横幅を徐々に減少させていても良い。また収容本体部１４は、両側の直線状の傾斜線１７を介して、底部１２ａから先端部１２ｂ側に向けてその横幅を徐々に減少させているので、粉体を粉体流出部１５の流出口１６から流出させて詰め替える際に、粉体を流出口１５に向けて落し易くすることが可能になる。
【００２３】
さらに、本実施形態では、粉体収容部１２の両側の側部シール接合部１３ｂの側縁部に、切断の開始部となる切込みノッチ１８を設けたり、側部シール接合部１３ｂの表面に切断誘導線１９を設けることで、粉体流出部１５の部分を横切るようにして、詰替え用粉体袋１０が、横幅方向Ｘに沿ってスムーズに切断されるように誘導することが可能になる。さらにまた、先端側シール接合部１３ａの中央部分に、展示用のフック係止孔２１を形成しておくこともできる。
【００２４】
本実施形態の詰替え用粉体袋１０を用いて、被詰め替え容器２０に粉体を詰め替えるには、上述のように、粉体流出部１５の部分を横幅方向Ｘに切断することで流出口１６を開口形成した後に、図２に示すように、形成された流出口１６を下方に向けて詰替え用粉体袋１０を倒立させ、且つ粉体流出部１５の両側のシール接合部１３を両側の手の指で各々挟むように把持した状態で、両側の手の指を粉体流出部１５の横幅方向Ｘに近づけたり離したりする操作を繰り返す。すなわち、好ましくは最小横幅部１２ｃの両側のシール接合部１３を把持部２４とし、開口形成された流出口１６を下方に向けて倒立させると共に、両側の把持部２４を粉体流出部１５の横幅方向Ｘに近づけたり離したりする操作を繰り返すことで、流出口１６を略多角形状に開口させ、最小横幅部１２ｃで収容本体部１４に収容された粉体をほぐしながら粉体流出部１５から下方に流出させる。
【００２５】
これによって、図３（ａ）、（ｂ）に示すように、流出口１６が閉じたり開いたりする動きを繰り返すことになると共に、粉体収容部１２が、幅広の底部１２ａを上方に配置した図２に示す倒立状態となっていることで、収容された微細な粉体は、いきなり勢い良く流出口１６から下方に流出するのではなく、最小横幅部１２ｃの直上部分に一旦塊り状に溜められてから、手の指を近づけたり離したりする動きに伴う外力によってほぐされて流動化することで、塊り状態が崩れて、最小横幅部１２ｃから下方に流下して行く。また最小横幅部１２ｃから流下した粉体は、いきなり流出口１６から下方に流出するのではなく、これよりも下方部分の、下方に向けて徐々に横幅が広くなった粉体流出部１５を通過することで、横方向の広がりが規制されるように誘導されながら下方に流出する。これらによって、粉舞いが生じないように効果的に抑制された状態で、粉体が、詰替え用粉体袋１０から被詰め替え容器２０にスムーズに詰め替えられてゆくことになる。
【００２６】
したがって、本実施形態の詰替え用粉体袋１０によれば、柔軟な軟包装材である公知のフィルム材を用いて、小形の詰替え容器として簡易に且つ安価に形成できると共に、収容された粒径の小さな微細な粉体を、粉舞いを抑制ししつつ、スムーズに流出させて、被詰め容器２０に詰め替えることが可能になる。
【００２７】
図４（ａ）、（ｂ）は、本発明の好ましい他の実施形態に係る詰替用粉体袋１０’を示すものである。本他の実施形態の詰替用粉体袋１０’は、上記実施形態の詰替用粉体袋１０と略同様の構成を備えている一方で、以下の構成が、上記実施形態の詰替用粉体袋１０と相違している。すなわち、本他の実施形態の詰替用粉体袋１０’では、粉体収容部１２’の外周部分のシール接合部１３’における、粉体流出部１５’を挟んだ両側の部分には、切取り誘導線２２が形成されている。この切取り誘導線２２は、粉体流出部１５’の部分で切断されて流出口１６’が形成される際に、流出口１６’をこれの両側のシール接合部１３’よりも先端側に突出配置した状態で、シール接合部１３’が切り取られるように誘導するようになっている。また、本他の実施形態の詰替用粉体袋１０’では、粉体流出部１５’に、流出口１６の開口を促すための罫線２３が設けられている。罫線２３に代えて、エンボス加工部を設けることもできる。
【００２８】
本他の実施形態の詰替用粉体袋１０’によっても、上記実施形態の詰替用粉体袋１０と同様の作用効果が奏される他、流出口１６’が、これの両側のシール接合部１３’よりも突出配置されて、ノズル形状に設けられることになるので、粉体を被詰め容器２０に詰め替える際の詰め替え易さを、向上させることが可能になる。また粉体流出部１５’が罫線２３やエンボス加工部を備えていることにより、流出口１６’が閉じたり開いたりする動きを、よりスムーズに繰り返えさせることが可能になる。
【００２９】
図５（ａ）、（ｂ）は、詰替用粉体袋の他の形態を例示するものである。シール接合部１３は、必ずしもすべての面においてシール接合されている必要はなく、把持部２４などにおいてはシール接合の有無は詰め替え作業に影響を及ぼさないため、図５（ａ）のようにシール接合を省略して、非シール接合部２５としてもよい。また図５（ｂ）のように、把持部２４のシール接合をしない箇所のフィルム間に、空気やスポンジのような柔軟な物質等、または剛性のある高分子樹脂等を挟み込むことで、把持性補助部２６を形成して、詰め替え時の把持性を向上させることもできる。最少横幅部の両側の把持部に、外形と切断誘導線、又は非シール部に囲まれた領域のフィルム基材等により、把持し易くするための高い剛性を持たせることもできる。さらに、パフを用いることで、粉体の詰め替え品に効果的にパフを付与することが可能となる。
【００３０】
図６もまた、詰替用粉体袋の他の形態を例示すものである。図６の詰替用粉体袋では、袋の把持部２４に略円形の穴２７を形成し、穴２７の周りを高分子樹脂や金属のような硬質な物質等で固めることで、把持リング部２８が設けられている。図６の詰替用粉体袋では、穴２７に指を入れて片手で容易に詰め替え作業を行うことが可能となる。
【００３１】
図７もまた、詰替用粉体袋の他の形態を例示すものである。図７の詰替用粉体袋では、詰替用粉体袋のシール接合部１３と非シール接合部である粉体収容部１２の色が異なり、粉体収容部１２が透明または白濁色のような内容物が見える色になっている。図７の詰替用粉体袋では、詰め替え作業時に内容物が流動する状況を目視できるため、効果的に詰め替えをすることが可能となる。
【００３２】
なお、本発明は上記実施形態に限定されることなく種々の変更が可能である。例えば、収容本体部は、直線状に斜めに延設する両側の傾斜線を介して、幅広の底部から先端部側に向けてその横幅を徐々に減少させている必要は必ずしも無く、例えば図８（ａ）、（ｃ）に示すように、傾斜角度を段階的に変化させた両側の側辺部（（ａ）参照）や、湾曲する形状の側辺部（（ｃ）参照）を介して、幅広の底部から先端部側に向けてその横幅を徐々に減少させていても良い。また、例えば図８（ａ）、（ｂ）に示すように、底部シール接合部から、横幅を減少させない領域を介在させることなく、幅広の底部から先端部側に向けてその横幅を徐々に減少させることもできる。さらに、粉体収容部は、左右対称な正面形状を備えている必要は必ずしも無く、例えば図８（ｄ）に示すように、線対称ではない正面形状を備えていても良い。さらにまた、粉体収容部は、図９に示すように、同様の傾斜方向に傾斜する両側の傾斜線を介して、幅広の底部から先端部側に向けてその横幅を徐々に減少させていても良い。詰替え用粉体袋に収容される詰替え用の粉体は、ファンデーションやパウダー等の小さな粒径の微細な粉体化粧料の他、小麦粉のような食料品、粉末洗剤等の、その他の種々の粉体であっても良い。
【符号の説明】
【００３３】
１０，１０’  詰替用粉体袋
１１  正面フィルム
１２，１２’  粉体収容部
１２ａ  底部
１２ｂ  先端部
１２ｃ  最小横幅部
１３，１３’  シール接合部
１３ａ  先端側シール接合部
１３ｂ  側部シール接合部
１３ｃ  底部シール接合部
１４  収容本体部
１５，１５’  粉体流出部（開口形成部）
１５ａ  横幅を徐々に拡大させた部分
１６，１６’  流出口
１７  直線状の傾斜線
１８  切込みノッチ
１９  切断誘導線
２０  被詰め替え容器
２１  フック係止孔
２２  切取り誘導線
２３  罫線
２４  把持部
Ｘ    横幅方向
【図１】
2015189514.tif 000003
【図２】
2015189514.tif 000004
【図３】
2015189514.tif 000005
【図４】
2015189514.tif 000006
【図５】
2015189514.tif 000007
【図６】
2015189514.tif 000008
【図７】
2015189514.tif 000009
【図８】
2015189514.tif 000010
【図９】
2015189514.tif 000011